(57)【要約】      （修正有）【課題】超音波の霧化に関する技術分野に属するものであり、特に一体形成のコネクタを有するスプレー構成を提供する。【解決手段】一体形成のパイプ部材である霧化通用のコネクタ１と、霧化通用のコネクタを包覆すると共に、内部に回路板が設けられる外部カバーとを備え、霧化通用のコネクタは、第１端１１と第１端に対応する第２端１２を有し、第１端の開口１１０と第２端の開口１２０が角度をもって配置され、第１端の開口は、第２端の開口より大きく、第１端の開口から内部へ連接口１１１と、メスねじ山１１２と、ゴムリンク１１４が配置される奥部とが順に配置され、第２端の開口には、霧化シート１２２と、オイル防止パッド１２３と、ノズルカバー２とを結合するための拡大部１２１が形成され、ノズルカバーは、突出リングを有するプレートであり、外部カバーには、霧化通用のコネクタの第１端に対応する設置口が形成される。【選択図】図１
0003222830.tif 000002
【実用新案登録請求の範囲】
【請求項１】
一体形成のパイプ部材である霧化通用のコネクタと、前記霧化通用のコネクタを包覆すると共に、内部に回路板が設けられる外部カバーとを備え、前記霧化通用のコネクタは、第１端と前記第１端に対応する第２端を有し、前記第１端と前記第２端との間に湾曲部が設けられることにより、前記第１端の開口と前記第２端の開口が角度をもって配置され、前記第１端の開口は、前記第２端の開口より大きく、前記第１端の開口から内部へ連接口と、メスねじ山と、ゴムリンクが配置される奥部とが順に配置されることにより、市販の香りの容器と連接可能な通用コネクタが形成され、前記第２端の開口には、霧化シートと、オイル防止パッドと、ノズルカバーとを結合するための拡大部が形成され、前記ノズルカバーは、突出リングを有するプレートであり、前記外部カバーには、前記霧化通用のコネクタの前記第１端に対応する設置口が形成されると共に、前記第２端におけるノズルカバーに対応する噴射口が形成され、前記外部カバーには、更にＤＣ電源の入力口が形成されることにより、内部の前記回路板に電力を提供でき、前記外部カバーには、前記霧化シートの作動を制御するために前記回路板と接続する操作ボタンが設けられることを特徴とする、一体形成のコネクタを有するスプレー構成。
【請求項２】
前記外部カバーの形状は、柱体、四方体、円球体、楕円球体、多辺形体又は他の幾何形状のいずれか一つであることを特徴とする請求項１に記載の、一体形成のコネクタを有するスプレー構成。
【請求項３】
前記霧化通用のコネクタの前記第２端の拡大部の前後両側に少なくとも四つのねじ孔が形成され、ねじを設置するために前記ノズルカバーの四つの隅に四つのねじ孔が形成され、前記外部カバーの内部チェンバーに設置するために前記霧化通用のコネクタの前記第１端の前後両側に少なくとも四つのねじ孔が形成されることを特徴とする請求項２に記載の、一体形成のコネクタを有するスプレー構成。
【請求項４】
前記外部カバーの後側には、開口部を有する凹部が形成され、前記凹部の奥部にＵＳＢコネクタが設けられ、前記凹部の開口部に開閉可能なカバーが設けられ、前記凹部の開口部に組立式の電源コネクタが設けられ、前記電源コネクタの一端には、前記ＵＳＢコネクタと結合可能なＵＳＢソケットが形成され、他端には、結合後に前記外部カバーから突出する電源プラグが設けられることを特徴とする請求項３に記載の、一体形成のコネクタを有するスプレー構成。
【請求項５】
前記外部カバーには、充電部が設けられ、前記充電部の下に少なくとも二つの金属接触点が設けられ、前記金属接触点が前記外部カバーの内部に延伸されると共に、充電バッテリーと接続されることにより、前記回路板に電力を供給し、前記外部カバーを設置して充電するために、充電凹部を有する充電座が更に設けられ、前記外部カバーの充電部が前記充電凹部に設置することができ、前記充電座には、ＤＣ電源の挿入口と、前記挿入口と電気接続すると共に、前記充電凹部に位置して前記充電部における二つの金属接触点に対応する導電プレートとを備えることを特徴とする請求項３に記載の、一体形成のコネクタを有するスプレー構成。
【請求項６】
前記霧化通用のコネクタの開口に更に拡充用の通用コネクタが設けられ、前記拡充用の通用コネクタは、一体形成のパイプ部材であって、分岐の拡充端と、前記拡充端と連通する連接端とを有し、前記連接端には、前記霧化通用のコネクタの開口におけるメスねじ山と螺合するオスねじ山が形成され、前記分岐の拡充端は、所定の角度を持って少なくとも二つ以上のパイプ開口が形成され、各前記パイプ開口から内部へ前記連接口と、前記メスねじ山と、前記ゴムリンクが配置される奥部とが順に配置されることにより、市販の複数の芳香容器を設置して混合の香りを発生することができることを特徴とする請求項３に記載の、一体形成のコネクタを有するスプレー構成。
【考案の詳細な説明】
【技術分野】
【０００１】
本考案は、超音波の霧化に関する技術分野に属するものであり、特に一体形成のコネクタを有するスプレー構成に関するものである。
【背景技術】
【０００２】
近年、医学と美容産業の発展に伴い、人間は益々美容の保養と医療の保健を重視している。例えば、超音波の酸素装置、美容の保健装置、霧化香りの増湿装置、精油の拡散装置…等が、美容院や一般の家庭に幅広く使用されている。それらは、超音波の原理によって達成するものであり、霧化シートの高周波振動によって容器から提供される精油の液体を微少顆粒の水玉に変化して周囲の環境に拡散している。
【考案の概要】
【考案が解決しようとする課題】
【０００３】
しかしながら、早期一般の超音波芳香酢酸装置では、その設計に欠点があり、市販の香り容器における香りの液体を専用容器に注入してから、芳香拡散装置に設置して使用する必要があるため、非常に不便である。そのため、本考案者は、米国特許第０９６２３１３７号明細書を出願して通用式の精油拡散装置を提出し、これは市販の香り容器を拡散装置の連接部材に直接に挿入することができるので、他の部材の購入や小分けにする必要がない。その構造は、携帯しやすくて芳香治療に使い易いが、その組み立て部材が相変わらず多いため改良する箇所がある。
【０００４】
特に、香りの容器と連接部分である霧化の通用コネクタにおける外部パイプは、一体形成ではなく、左右である一対のパーツから組み合わせるものであるため、製造上に手間が掛かり二回の加工作業が必要があり、しかも使用の時に、揮発性と溶解性を有する香りの液体によりその連接箇所のシール性が破壊されやすいため、香りの液体がその破壊された箇所から漏れ出してしまう欠点があり、更に改良する必要がある。
【０００５】
上記の問題に鑑み、本考案者は、香りの液体を漏れ出し難い一体形成のコネクタを有するスプレー構成を提供することを目的とする。
【課題を解決するための手段】
【０００６】
本考案の主な目的は、一体形成のコネクタを有するスプレー構成を提供することであるため、下記の構成を有する。
【０００７】
上述の目的を達成するために、本考案に係わる一体形成のコネクタを有するスプレー構成は、一体形成のパイプ部材である霧化通用のコネクタと、前記霧化通用のコネクタを包覆すると共に、内部に回路板が設けられる外部カバーとを備え、前記霧化通用のコネクタは、第１端と前記第１端に対応する第２端を有し、前記第１端と前記第２端との間に湾曲部が設けられることにより、前記第１端の開口と前記第２端の開口が角度をもって配置され、前記第１端の開口は、前記第２端の開口より大きく、前記第１端の開口から内部へ連接口と、メスねじ山と、奥部に配置されるゴムリンクとが順に配置されることにより、市販の香りの容器と連接可能な通用コネクタが形成され、前記第２端の開口には、霧化シートと、オイル防止パッドと、ノズルカバーとを結合するための拡大部が形成され、前記ノズルカバーは、突出リングを有するプレートである。
【０００８】
前記外部カバーには、前記霧化通用のコネクタの前記第１端に対応する設置口が形成されると共に、前記第２端におけるノズルカバーに対応する噴射口が形成され、前記外部カバーには、更にＤＣ電源の入力口が形成されることにより、内部の回路板に電力を提供でき、また、前記外部カバーには、前記霧化シートの作動を制御するために前記回路板と接続する操作ボタンが設けられる。
【０００９】
従来の構成と比較すると、そのメリットは、構成が簡素化することであり、基本構成は、一体形成であるため、パーツが少なくて加工が簡単で済み、製造流れが縮減できるため、量産も簡単に達成でき、製品の品質が優れてシール性もよく、使用の時に、異なる外形の外部カバーを配合して市販の芳香容器と結合して霧化の微小の水玉を発生できる。
【図面の簡単な説明】
【００１０】
【図１】本考案に係わる一体形成のコネクタを有するスプレー構成の分解斜視図である。
【図２】本考案に係わる一体形成のコネクタを有するスプレー構成の平面図である。
【図３】本考案に係わる一体形成のコネクタを有するスプレー構成の組立断面図である。
【図４】本考案に係わる一体形成のコネクタを有するスプレー構成の第１実施例を示す斜視図である。
【図５】本考案に係わる一体形成のコネクタを有するスプレー構成の第１実施例を示す断面図である。
【図６】本考案に係わる一体形成のコネクタを有するスプレー構成の第２実施例を示す斜視図である。
【図７】本考案に係わる一体形成のコネクタを有するスプレー構成の第２実施例を示す断面図である。
【図８】本考案に係わる一体形成のコネクタを有するスプレー構成における拡充用の通用コネクタを示す断面図である。
【図９】本考案に係わる一体形成のコネクタを有するスプレー構成における拡充用の通用コネクタを示す分解斜視図である。
【考案を実施するための形態】
【００１１】
審査官に本考案の目的、形状、構成の特徴とその効果をよく理解させるために、図面と合わせて具体の実施例について、以下のように詳細に説明する。
【００１２】
図１ないし図７に示すように、本考案に係わる一体形成のコネクタを有するスプレー構成は、一体形成のパイプ部材である霧化通用のコネクタ（１）と、前記霧化通用のコネクタ（１）を包覆すると共に、内部に回路板（１５）が設けられる外部カバー（３）とを備え、前記霧化通用のコネクタ（１）は、第１端（１１）と前記第１端（１１）に対応する第２端（１２）を有し、前記第１端（１１）と前記第２端（１２）との間に湾曲部（１３）が設けられることにより、前記第１端（１１）の開口（１１０）と前記第２端（１２）の開口（１２０）が角度をもって配置され、前記第１端（１１）の開口（１１０）は、前記第２端（１２）の開口（１２０）より大きく、前記第１端（１１）の開口（１１０）から内部へ連接口（１１１）と、メスねじ山（１１２）と、ゴムリンク（１１４）が配置される奥部（１１３）とが順に配置され、前記第２端（１２）の開口（１２０）には、霧化シート（１２２）と、オイル防止パッド（１２３）と、ノズルカバー（２）とを結合するための拡大部（１２１）が形成される。
【００１３】
当該実施例において、前記ノズルカバー（２）は、突出リングを有する四方形のプレートであり、その四つの隅と前記拡大部（１２１）の周りに複数のねじ孔（２０５）が形成されるため、ねじ（２５）によって固定することができる。
【００１４】
本考案の実施例によれば、その霧化通用のコネクタ（１）の構成が簡素化することであり、基本構成は、一体形成であるため、パーツが少なくて加工が簡単で済み、製造流れが縮減できるため、量産も簡単に達成でき、製品の品質が優れてシール性もよく、また、図５と図７に示すように、使用の時に、異なる外形の外部カバー（３）を配合して市販の芳香容器（５０）と結合して霧化の微小の水玉を発生できるので、実用には進歩性があり、従来の構成のように漏れ出しやすいという欠点を有しない。
【００１５】
図１ないし図７に示すように、前記霧化通用のコネクタ（１）の第１端（１１）は、円筒形を有し、前記第２端（１２）は、前記第１端（１１）と連通すると共に、その中心軸が前記第１端（１１）の中心軸と直交する筒形を有し、前記第１端（１１）から前記第２端（１２）までの最小長さは、３０．４ｍｍであり、前記第１端（１１）の開口（１１０）の最小直径の寸法は、Φ２８．５ｍｍであり、前記第２端（１２）の拡大部（１２１）の最小直径の寸法は、Φ１４ｍｍであり、前記霧化シート（１２２）の直径範囲は、１３ｍｍ〜１４ｍｍであり、前記第２端（１２）の拡大部（１２１）の前後両側に少なくとも四つのねじ孔（２０５）が形成されるため、ねじ（２５）によって前記ノズルカバー（２）を設置することができ、また、前記第１端（１１）の前後両側に少なくとも四つのねじ孔（２０５）が形成されるため、前記霧化通用のコネクタ（１）を使用するときに造形を有する外部カバー（３）の内部チェンバー（３１）に設置することができる。
【００１６】
実施例において、前記外部カバー（３）の形状に制限はなく、柱体、四方体、円球体、楕円球体、多辺形体又は他の幾何形状のいずれか一つであってもよい。
【００１７】
図４ないし図７に示すように、実施例において、前記外部カバー（３）は、前記霧化通用のコネクタ（１）を包覆することができ、更に、内部に回路板（１５）が設けられ、前記外部カバー（３）には、前記霧化通用のコネクタ（１）の前記第１端（１１）に対応する設置口（３２）が形成されると共に、前記第２端（１２）におけるノズルカバー（２）に対応する噴射口（３３）が形成され、また、前記外部カバー（３）には、前記霧化シート（１２２）の作動を制御するために前記回路板（１５）と接続する操作ボタン（３４）が設けられ、前記外部カバー（３）には、更にＤＣ電源の入力口（３５）が形成されることにより、内部の回路板（１５）に電力を提供できる（図５を参照する）。
【００１８】
図４と図５に示すように、本考案の第１実施例では、前記外部カバー（３）は、上カバーを有する円柱体に形成されるが、実際にこの限りではなく、更に、前記外部カバー（３）には、充電部（３０）が設けられ、前記充電部（３０）の下に少なくとも二つの金属接触点（３０１）が設けられ、前記金属接触点（３０１）が前記外部カバー（３）の内部に延伸されると共に、充電バッテリー（４００）と接続することにより、前記回路板（１５）に電力を供給することができる。更に、前記外部カバー（３）を設置して充電するために、充電凹部（６０）を有する充電座（６）が設けられ、そのため、前記外部カバー（３）の充電部（３０）が充電凹部（６０）に設置することができる。前記充電座（６）には、ＤＣ電源の挿入口（６５）と、前記挿入口（６５）と電気接続すると共に、前記充電凹部（６０）に位置する導電プレート（６０１）とを備え、前記充電部（３０）と前記金属接触点（３０１）と接触することにより、充電バッテリー（４００）を充電して本考案に係わる一体形成のコネクタを有するスプレー構成を携帯に使用することができる。
【００１９】
図６と図７に示すように、本考案の第２実施例では、前記外部カバー（３）は、羊の外形に形成されるが、実際にこの限りではなく、前記外部カバー（３）の後側には、開口部（３６３）を有する凹部（３６）が形成され、前記凹部（３６）の奥部（３６１）にＵＳＢコネクタ（３６２）が設けられ、前記凹部（３６）の開口部（３６３）に、開閉可能なカバー（３７）が設けられ、前記凹部（３６）の開口部（３６３）に組立式の電源コネクタ（４）が設けられ、前記電源コネクタ（４）の一端には、前記ＵＳＢコネクタ（３６２）と結合可能なＵＳＢソケット（４３６）が形成され、他端には、結合後に前記外部カバー（３）から突出して一般の電源ソケット（図示なし）に挿入できる電源プラグ（４３２）が設けられるので、本考案は、所定場所に設置して使用可能なだけではなく、好きな場所に移動して設置してもよく、更に前記外部カバー（３）にＬＥＤが設けられる場合、夜用ランプとして使用されてもよい。
【００２０】
図８と図９に示すように、本考案を使用するときに幾つかの香りの液体を混合して霧化できるために、前記霧化通用のコネクタ（１）の開口（１１０）に更に拡充用の通用コネクタ（７）が設けられ、前記拡充用の通用コネクタ（７）は、一体形成のパイプ部材であって、分岐の拡充端（７１）と、前記拡充端（７１）と連通する連接端（７２）とを有し、前記連接端（７２）には、前記霧化通用のコネクタ（１）の開口（１１０）におけるメスねじ山（１１２）と螺合するオスねじ山（７２２）が形成され、前記分岐の拡充端（７１）は、所定の角度を持って少なくとも二つ以上のパイプ開口（７１０）が形成され、各パイプ開口（７１０）から内部へ連接口（７１１）と、メスねじ山（７１２）と、ゴムリンク（７１４）が配置される奥部（７１３）とが順に配置され、こうすることにより、市販の複数の芳香容器（５０）を設置して混合の香りを発生させることができる。
【００２１】
上述の説明は、本考案の好適な実施例に対する具体的な説明であるが、これらの実施例は本考案における実用新案請求の範囲を限定するものではなく、本考案の要旨に基づいてこれらの実施例の効果と等しい変形や変更をして本考案を完成することができ、これらの変形や変更が本考案における実用新案請求の範囲に含まれるべきである。
【符号の説明】
【００２２】
１            霧化通用のコネクタ
１１０            開口
１１１            連接口
１１２            メスねじ山
１１３            奥部
１１４            ゴムリンク
１２            第２端
１２０            開口
１２１            拡大部
１２２            霧化シート
１２３            オイル防止パッド
１３            湾曲部
１５            回路板
２            ノズルカバー
２５            ねじ
２０５            ねじ孔
３            外部カバー
３０            充電部
３０１            金属接触点
３１            内部チェンバー
３２            設置口
３３            噴射口
３４            操作ボタン
３５            ＤＣ電源の入力口
３６            凹部
３６１            奥部
３６２            ＵＳＢコネクタ
３６３            開口部
３７            カバー
４            電源コネクタ
４００            充電バッテリー
４３２            電源プラグ
４３６            ＵＳＢソケット
５０            芳香容器
６            充電座
６０            充電凹部
６０１            導電プレート
６５            挿入口
７            拡充用の通用コネクタ
７１            拡充端
７１０            パイプ開口
７１１            連接口
７１２            メスねじ山
７１３            奥部
７１４            ゴムリンク
７２            連接端
７２２            オスねじ山
【図１】
0003222830.tif 000003
【図２】
0003222830.tif 000004
【図３】
0003222830.tif 000005
【図４】
0003222830.tif 000006
【図５】
0003222830.tif 000007
【図６】
0003222830.tif 000008
【図７】
0003222830.tif 000009
【図８】
0003222830.tif 000010
【図９】
0003222830.tif 000011